(57)【特許請求の範囲】
【請求項１】
温水や冷水などを導く複数のパイプと、これらパイプを埋設したパネル本体とからなる冷暖房用パネルにおいて、上記パネル本体の表面であって、パイプが埋設されていない範囲を固定可能エリアとするとともに、この固定可能エリアに、ビスなどの固定具を打ち込む位置を表示する打ち込みマークを複数設け、しかも、これら打ち込みマークを、非等間隔に配置したことを特徴とする冷暖房用パネル。
【請求項２】
固定具の色を、固定可能エリアの色と反対色にしたことを特徴とする請求項１記載の冷暖房用パネル。
【発明の詳細な説明】
【０００１】
【発明の属する技術分野】
この発明は、パネル本体に組み込んだパイプに、温水や冷水などの流体を流してパネル表面を温めたり冷やしたりする冷暖房用パネルに関する。
【０００２】
【従来の技術】
図３に示す従来の冷暖房用パネルは、流体を流すパイプマットｍを、パネル本体ａに埋設して一体化したものである。
上記パイプマットｍは、断面長方形をした一対のメインパイプ１，２と、これらメインパイプ１，２を連通する複数の細い熱交換パイプ３とからなり、熱交換パイプ３を細かいピッチで並べることによってマット状にしている。
このようにしたパイプマットｍは、一方のメインパイプから供給した流体を、複数の熱交換パイプ３を介して他方のメインパイプに導く過程で、パネル本体ａの表面を温めたり冷やしたりする。
【０００３】
一方、上記パネル本体ａは合板からなり、この合板に上記パイプマットｍを埋め込むための溝を形成している。そして、この溝に埋め込んだパイプマットｍを、その表面側に位置させることによって、パイプマットｍを流れる流体の熱を、効率よく表面に伝えるようにしている。
このようにパイプマットｍを埋設したパネル本体ａは、図４に示すように、建物の根太４の上に敷設する。そして、この根太４に固定したパネル本体ａの表面を、複数の仕上材６で覆う。
なお、根太４間には、断熱材５を設け、パイプマットｍの熱が床下に逃げるのを防止している。
【０００４】
上記パネル本体ａは、図５に示すように、ビス７によって根太４に固定している。ただし、パネル本体ａには、上記したようにパイプマットｍを組み込んでいるので、ビス７によってパイプマットｍを傷つけてしまうおそれがある。パイプマットｍが傷つくと、そこから流体が漏れてしまう。そこで、パネル本体ａの表面には、図６に示すように、ビス７を固定してもよい固定可能エリア８を、ビス７を固定してはいけないエリアと区分けして表示している。上記固定可能エリア８は、パイプマットｍが埋設されていない部分であり、具体的には埋設したパイプマットｍの外側の部分、すなわちパネル本体ａの縁から内側に入った所定の範囲のみである。このようにした固定可能エリア８に、複数のビス７を一定間隔で打ち込むことによって、パネル本体ａを根太４に固定するようにしている。なお、上記ビス７を打ち込む間隔は、一般的に一尺（３０３ｍｍ）の間隔にしている。
【０００５】
上記のようにして根太４に固定したパネル本体ａの表面に、複数の仕上材６を敷いて、これら仕上材６を釘９によってパネル本体ａに固定する（図５参照）。これら仕上材６を固定する釘９も、パイプマットｍを傷つける危険性を回避するために、パネル本体ａの固定可能エリア８に一定間隔で打ち込むようにしている。なお、上記釘９を打ち込む間隔も、一般的に一尺（３０３ｍｍ）の間隔にしている。
【０００６】
なお、上記仕上材６は、一方の側面に凸部１０を形成し、他方の側面に凹部１１を形成している。そして、仕上材６，６を突き合わせたときに、一方の仕上材６の凸部１０を、他方の仕上材６の凹部１１にはめるようにしている。そして、これら凸部１０と凹部１１とのはめ合い部分に、釘９を斜めに打ち込むことによって、突き合わせた仕上材６、６を一体化させている。
【０００７】
【発明が解決しようとする課題】
上記従来のパネルは、仕上材６をパネル本体ａに固定するときに、この仕上材６を固定する釘９が、パネル本体ａを根太４に固定しているビス７にぶつかってしまうことがあった（図５参照）。このように釘９がビス７に干渉すると、その部分に釘９を打ち込むことができないので、釘９を打つ位置をずらさなければならない。しかも、上記釘９やビス７は、一般的に同じ間隔（一尺（３０３ｍｍ）の等間隔）で打ち付けているため、釘９とビス７との干渉が一箇所でもあると、他の部分でも干渉することになる。
また、釘９を打つ間隔を、ビス７を打つ間隔の２倍にした場合でも、釘９とビス７とが一箇所干渉すると、２本に１本の割合で釘９がビス７に干渉することになる。
このように釘９がビス７に干渉すると、仕上材６を固定する作業に手間がかかり、作業性が低下するという問題があった。
この発明の目的は、パネル本体ａを固定するビス７と、仕上材６を固定する釘９との干渉を防止することができる冷暖房用パネルを提供することである。
【０００８】
【課題を解決するための手段】
第１の発明は、温水や冷水などを導く複数のパイプと、これらパイプを埋設したパネル本体とからなる冷暖房用パネルにおいて、上記パネル本体の表面であって、パイプが埋設されていない範囲を固定可能エリアとするとともに、この固定可能エリアに、ビスなどの固定具を打ち込む位置を表示する打ち込みマークを複数設け、しかも、これら打ち込みマークを、非等間隔に配置したことを特徴とする。
【０００９】
第２の発明は、上記第１の発明において、固定具の色を、固定可能エリアの色と反対色にしたことを特徴とする。
【００１０】
【発明の実施の形態】
図１、２にこの発明の一実施形態を示す。
図１は、パネル本体Ａの平面図である。このパネル本体Ａには、図示していないパイプマットを埋設している。
このようにしたパネル本体Ａの表面には、固定可能エリア１２を表示している。これら固定可能エリア１２は、パイプマットが埋め込まれていない部分であり、ビスや釘を打ち込んでも、パイプマットが傷つかない部分である。
上記固定可能エリア１２には、複数の打ち込みマークＭ１〜Ｍ９を設けている。これら打ち込みマークＭ１〜Ｍ９は、パネル本体Ａを根太４（図５参照）に固定するときに、固定用のビス７を打ち込む位置を示したものであり、固定可能エリア１２に対して目立つ色にしている。
【００１１】
また、上記打ち込みマークＭ１〜Ｍ９のうち、打ち込みマークＭ１〜Ｍ７は、非等間隔に配置している。すなわち、打ち込みマークＭ１とＭ２との間隔を２３７ｍｍ、打ち込みマークＭ２とＭ３との間隔を３１４ｍｍ、打ち込みマークＭ３とＭ４との間隔を３０８ｍｍ、打ち込みマークＭ４とＭ５との間隔を３０８ｍｍ、打ち込みマークＭ５とＭ６との間隔を２８６ｍｍ、打ち込みマークＭ６とＭ７との間隔を２５９ｍｍとしている。
このように非等間隔に設けた打ち込みマークＭ１〜Ｍ７の位置にビスを打ち込むと、図１に示すように、仕上材６を固定する釘の間隔を３０３ｍｍの等間隔にした場合に、釘がビスに干渉する確率を低くすることができる。また、釘がビスに一箇所干渉したとしても、他の釘を３０３ｍｍの等間隔で打ち込んでいる限り、これら他の釘がビスに干渉する可能性がほとんどない。つまり、打ち込みマークＭ１〜Ｍ７を非等間隔にすることによって、釘とビスとの干渉を回避することができる。
なお、上記打ち込みマークＭ１〜Ｍ７の間隔は一例に過ぎず、非等間隔であれば、打ち込みマークＭ１〜Ｍ７の間隔は任意に決めればよい。
【００１２】
また、パネル本体Ａを固定するビス１３を、固定可能エリア１２の色と反対色にしている。ここで、反対色とは、色相環の真反対（１８０度）にくる色で、組み合わせるとコントラストが強く、刺激的な配色となるものをいう。
このようにビスを固定可能エリア１２と反対色にすれば、図２に示すように、パネル本体Ａにビス１３が取り付けられているか否かを、簡単に見分けることができる。このようにビス１３が取り付けられているか否かを簡単に見分けられるようにすることによって、ビスの取り付け忘れを防止するようにしている。
なお、この実施形態では、ビス１３を固定可能エリア１２と反対色にしているが、打ち込んだビス１３を目立たせることができるのであれば、このビス１３の色は反対色に限らない。
【００１３】
この実施形態によれば、パネル本体Ａを固定するビスを打ち込む打ち込みマークを、非等間隔に配置したので、パネル本体Ａを覆う仕上材を固定するときに、仕上材固定用の釘がビスに干渉する確率を低くすることができる。このように釘とビスとが干渉する確率を低くしたので、仕上材を固定するときの作業性を向上させることができる。
【００１４】
なお、この実施形態では、合板にパイプマットｍを埋め込んだパネル本体Ａを用いているが、このパネル本体Ａは、その下面に床下地材を一体化させたものや、断熱材を一体化させたものであってもよい。つまり、このパネル本体Ａは、仕上材と別体のものであればどのような構造でもよい。
また、パネル本体Ａに埋め込んだパイプマットも、流体を導くものであれば、一本のパイプをジグザグに蛇行させて配置したものであってもよい。
さらに、この実施形態では、ビス１３がこの発明の固定具に相当するが、固定具としては、ビスに限定されるものではない。つまり、パネル本体Ａに打ち込んで固定するものであれば、固定具は釘でも針でもよい。
【００１５】
【発明の効果】
第１の発明によれば、パネル本体を固定する固定具を打ち込む打ち込みマークを、非等間隔に配置したので、パネル本体を固定する固定具と、パネル本体を覆う仕上材を固定する釘とが干渉する確率を低くすることができる。
したがって、仕上材を固定するときの作業性を向上させることができる。
【００１６】
第２の発明によれば、固定具の色を、固定可能エリアの色と反対色にしたので、固定具が取り付けられているか否かを、簡単に見分けることができる。このように固定具が取り付けられているか否かを簡単に見分けることができるので、固定具の取り付け忘れを防止することができる。
【図面の簡単な説明】
【図１】実施形態のパネル本体Ａの平面図である。
【図２】図１の部分拡大図である。
【図３】従来例の斜視図である。
【図４】従来例の平面図である。
【図５】パネルと仕上材とを床板に固定した状態を示す斜視図である。
【図６】パネルと仕上材とを、床板に固定した状態を示す断面図である。
【符号の説明】
Ａ    パネル本体
Ｍ１〜Ｍ９  打ち込みマーク
１２    固定可能エリア
１３    この発明の固定具に相当するビス
【図１】
0004639362.tif 000002
【図２】
0004639362.tif 000003
【図３】
0004639362.tif 000004
【図４】
0004639362.tif 000005
【図５】
0004639362.tif 000006
【図６】
0004639362.tif 000007